(57)【特許請求の範囲】
【請求項１】
設定用の操作画像を表示する表示パネルと、
前記表示パネルの上方に設けられ、タッチされてはいないが指先が表面に近づいている近接状態での指先の座標及びタッチ位置の座標の検知に用いるタッチパネル部と、
前記タッチパネル部の出力に基づきタッチ位置を認識することにより操作された操作画像を認識するとともに、前記近接状態での指先の位置と前記近接状態での指先の軌跡を認識し、認識した前記軌跡に基づき、前記近接状態で指先が揺れている揺れ状態であるか否かを判断し、前記揺れ状態と判断したとき前記軌跡の下方に表示されている操作画像のうち１つ又は複数を前記表示パネルに拡大表示させる制御部と、を含み、
前記制御部は、
予め定められた判断期間内での指先の移動方向の切り替えが予め定められた基準回数よりも多いとき、前記揺れ状態になっていると判断し、
所定期間内で指先が上方にあった時間が最も長い操作画像を前記表示パネルに拡大表示させ、
前記軌跡に基づき指先の揺れ範囲を定め、前記揺れ範囲の上下方向の幅よりも拡大表示後の操作画像の上下方向の幅が広くなり、かつ、前記揺れ範囲の左右方向の幅よりも拡大表示後の操作画像の左右方向の幅が広くなるように前記表示パネルに拡大表示させることを特徴とする表示入力装置。
【請求項２】
設定用の操作画像を表示する表示パネルと、
前記表示パネルの上方に設けられ、タッチされてはいないが指先が表面に近づいている近接状態での指先の座標及びタッチ位置の座標の検知に用いるタッチパネル部と、
前記タッチパネル部の出力に基づきタッチ位置を認識することにより操作された操作画像を認識するとともに、前記近接状態での指先の位置と前記近接状態での指先の軌跡を認識し、認識した前記軌跡に基づき、前記近接状態で指先が揺れている揺れ状態であるか否かを判断し、前記揺れ状態と判断したとき前記軌跡の下方に表示されている操作画像のうち１つ又は複数を前記表示パネルに拡大表示させる制御部と、を含み、
前記制御部は、
予め定められた判断期間内での指先の移動方向の切り替えが予め定められた基準回数よりも多いとき、前記揺れ状態になっていると判断し、
所定期間内での前記軌跡の下方に表示される複数の操作画像を前記表示パネルに拡大表示させ、
前記軌跡に基づき指先の揺れ範囲を定め、前記揺れ範囲の上下方向の幅よりも拡大表示後の操作画像の上下方向の幅が広くなり、かつ、前記揺れ範囲の左右方向の幅よりも拡大表示後の操作画像の左右方向の幅が広くなるように前記表示パネルに拡大表示させることを特徴とする表示入力装置。
【請求項３】
前記制御部は、前記所定期間内で指先が上方にあった時間が最も長い操作画像に隣接する操作画像を前記表示パネルに拡大表示させることを特徴とする請求項１に記載の表示入力装置。
【請求項４】
前記制御部は、前記所定期間内での前記軌跡の下方に表示される操作画像に隣接する操作画像を前記表示パネルに拡大表示させることを特徴とする請求項２に記載の表示入力装置。
【請求項５】
前記制御部は、移動方向の切り替え回数が多いほど拡大表示での拡大率を大きくさせることを特徴とする請求項１乃至４の何れか１項に記載の表示入力装置。
【請求項６】
前記制御部は、指先が前記タッチパネル部の表面から前記近接状態と判断する距離よりも離れた離間状態となったことを検知し、前記離間状態となってから予め定められた解除時間が経過したとき、拡大表示していた操作画像の表示サイズを通常に戻させることを特徴とする請求項１乃至５の何れか１項に記載の表示入力装置。
【請求項７】
前記タッチパネル部は、静電容量式のセンサーパネルを含むことを特徴とする請求項１乃至６の何れか１項に記載の表示入力装置。
【請求項８】
請求項１乃至請求項７の何れか１項に記載の表示入力装置を含むことを特徴とする画像形成装置。
【発明の詳細な説明】
【技術分野】
【０００１】
本発明は、各種設定を受け付ける表示入力装置に関する。また、この表示入力装置を含む画像形成装置に関する。
【背景技術】
【０００２】
表示部とタッチパネルを組み合わせた入力装置（インターフェイス）がある。表示部はメニュー、キー、タブ、ボタンのような設定用の操作画像を表示する。使用者は、操作画像の表示位置をタッチして設定を行う。表示部には複数の操作画像が並べて表示されることがあり、所望の操作画像とは異なる操作画像を誤ってタッチしてしまう場合がある。このような誤操作を防止するための技術の一例が特許文献１に記載されている。
【０００３】
具体的に、特許文献１には、タッチパネルを備え、タッチパネルの振動を検出し、タッチパネルに入力される処理指示に応じた処理を実行し、振動検出中に、実行結果を取り消せない特定処理の実行指示が入力されると特定処理の実行を保留し、保留した旨を報知した後、特定処理の実行指示が入力されたときに保留した特定処理を実行する情報処理装置が記載されている。この構成により、走行車両内のような振動が発生しやすく、タッチパネルの正確な操作が困難な環境下での誤操作を減らそうとする（特許文献１：請求項１、段落［０００３］、［０００７］等参照）。
【先行技術文献】
【特許文献】
【０００４】
【特許文献１】特開２０１４−１４２７５５号公報
【発明の概要】
【発明が解決しようとする課題】
【０００５】
複合機、複写機、ファクシミリ装置、プリンターのような画像形成装置には、ジョブの種類（機能）の選択、設定項目の選択、設定値設定のため、タッチパネルと表示部を備えた入力装置が設けられることがある。また、キー、タブ、ボタンのような表示される操作画像をタッチすることにより、各種設定がなされる。また、操作画像とともに、説明やメッセージを表示させることができる。
【０００６】
しかし、使用者の中には、先天的な理由や、病気、けが、障がいのため、指先（手、腕）が震える人がいる。例えば、指先が震える使用者は、震えている指先が所望の（狙いの）操作画像と重なると思ったタイミングで腕を動かして指先をタッチパネルに付ける。しかし、狙い通りの位置をタッチできるとは限らない。
【０００７】
このように、指先が震える使用者は、所望する操作画像へのタッチ（操作）を正確に行うことが難しいという問題がある。特に、操作画像が隙間無く密集して表示されている場合や、操作画像の表示サイズが小さいとき、誤操作が生じやすい。また、所望しない操作画像にタッチしてしまったとき、誤操作を訂正する別の操作が必要となる。そのため、指先が震える使用者の設定操作に要する時間は長くなり、煩わしさを感じさせてしまう場合があるという問題がある。
【０００８】
尚、特許文献１記載の技術は、カーナビゲーション装置（情報処理装置）自体が揺れている（振動している）のために誤操作しやすい状況では、有用である可能性がある。しかし、指先が震える使用者が設定しやすくするような工夫は特許文献１には記載されていない。また、指先が震える使用者にとって、特許文献１に記載されるような振動がある状態で保留した特定処理の実行指示用のキーを正確に操作することは極めて難しい。このように、特許文献１記載の技術は、指先が震える使用者を一切考慮しておらず、上記の問題を解決できない。
【０００９】
本発明は、上記従来技術の問題点に鑑み、指先が震える使用者が所望の操作画像を正確にタッチできるようにする。
【課題を解決するための手段】
【００１０】
上記課題解決のため、請求項１に係る表示入力装置は、表示パネル、タッチパネル部、制御部を含む。表示パネルは、設定用の操作画像を表示する。タッチパネル部は、表示パネルの上方に設けられ、タッチされてはいないが指先が表面に近づいている近接状態での指先の座標及びタッチ位置の座標の検知に用いられる。制御部は、タッチパネル部の出力に基づきタッチ位置を認識することにより操作された操作画像を認識するとともに、近接状態での指先の位置と近接状態での指先の軌跡を認識し、認識した軌跡に基づき、近接状態で指先が揺れている揺れ状態であるか否かを判断し、揺れ状態と判断したとき軌跡の下方に表示されている操作画像のうち１つ又は複数を表示パネルに拡大表示させる。なお、「操作画像」は、キー、ボタン、タブ、メニュー、チェックボックスのような設定のために表示される画像である。前記制御部は、予め定められた判断期間内での指先の移動方向の切り替えが予め定められた基準回数よりも多いとき、前記揺れ状態になっていると判断する。前記制御部は、所定期間内で指先が上方にあった時間が最も長い操作画像を前記表示パネルに拡大表示させる。又は、前記制御部は、所定期間内での前記軌跡の下方に表示される複数の操作画像を前記表示パネルに拡大表示させる。前記制御部は、前記軌跡に基づき指先の揺れ範囲を定め、前記揺れ範囲の上下方向の幅よりも拡大表示後の操作画像の上下方向の幅が広くなり、かつ、前記揺れ範囲の左右方向の幅よりも拡大表示後の操作画像の左右方向の幅が広くなるように前記表示パネルに拡大表示させる。
【発明の効果】
【００１１】
本発明によれば、指先が震える使用者が所望の操作画像を正確にタッチできる表示入力装置を提供することができる。
【図面の簡単な説明】
【００１２】
【図１】実施形態に係る複合機の一例を示す図である。
【図２】実施形態に係る複合機の一例を示す図である。
【図３】実施形態に係るメインメニュー画面の一例を示す図である。
【図４】実施形態に係るシステムメニュー画面の一例を示す図である。
【図５】実施形態の表示入力装置の一例を示す図である。
【図６】実施形態に係る拡大表示設定画面の一例を示す図である。
【図７】操作画像のうち１つを拡大表示する場合の一例を示す図である。
【図８】複数の操作画像を拡大表示する場合の一例を示す図である。
【図９】第１モードで指先の軌跡の直下に位置する操作画像に隣接する操作画像も含めて拡大表示する場合の一例を示す図である。
【図１０】第２モードで指先の軌跡の直下に位置する操作画像に隣接する操作画像も含めて拡大表示する場合の一例を示す図である。
【図１１】指先の移動方向の切り替え回数に応じて拡大率を変更する場合の一例を示す図である。
【発明を実施するための形態】
【００１３】
以下、図１〜図１１を用いて本発明の実施形態を説明する。以下の説明では、表示入力装置１を含む複合機１００（画像形成装置に相当）を例に挙げて説明する。但し、本実施の形態に記載されている構成、配置等の各要素は、発明の範囲を限定するものではなく単なる説明例にすぎない。
【００１４】
（複合機１００）
次に、図１、図２に基づき、実施形態に係る複合機１００を説明する。図１、図２は、実施形態に係る複合機１００の一例を示す図である。
【００１５】
図１に示すように、本実施形態の複合機１００は、複合機１００の前面に操作パネル２（破線で図示）が設けられる。また、上部に原稿搬送部３ａと画像読取部３ｂが設けられる。又、複合機１００の内部には、印刷を行う印刷部４（給紙部４ａ、搬送部４ｂ、画像形成部４ｃ、定着部４ｄ）が設けられる。
【００１６】
操作パネル２は、複合機１００の状態や各種メッセージや各種設定画面を表示する表示パネル２１を備える。また、表示パネル２１の上面にタッチパネル部２２が設けられる。タッチパネル部２２は、表示パネル２１で押された部分の位置、座標を検知するためのものである。タッチパネル部２２の出力に基づき、押された操作画像（ソフトキー、ボタン、タブ、チェックボックスのような画像）が認識される。また、操作パネル２には、スタートキーやテンキーのような複数のハードキー２３も設けられる。
【００１７】
タッチパネル部２２には、タッチはしていないものの、タッチパネル部２２に指先を近づけた状態であることを検知できるものが用いられる。本実施形態の複合機１００（表示入力装置１）では、タッチパネル部２２に、静電容量方式のものが用いられる。なお、超音波センサーや光センサーのような指先検知用のセンサーを備え、タッチパネル部２２に指先が近づいていることを検知できるタイプのタッチパネル部２２を採用してもよい。
【００１８】
原稿搬送部３ａは、セットされた原稿を１枚ずつ送り読取用コンタクトガラス（読み取り位置、不図示）に向けて連続的、自動的に搬送する。画像読取部３ｂは、送り読取用コンタクトガラスを通過する原稿や、載置読取用コンタクトガラス（不図示）にセットされた原稿を読み取り、画像データを生成する。
【００１９】
給紙部４ａは、複数の用紙を収容する。印刷ジョブを実行するとき、給紙部４ａは用紙を１枚ずつ搬送部４ｂに送り込む。搬送部４ｂは、給紙部４ａから供給された用紙を搬送する。画像形成部４ｃは、画像データに基づきトナー像を形成し、搬送される用紙にトナー像を転写する。定着部４ｄは、用紙に転写されたトナー像を定着させる。トナー定着後の用紙は、排出トレイ４ｅに排出される。
【００２０】
図２に示すように、複合機１００内には、制御部５が設けられる。制御部５は、複合機１００の動作を制御する。制御部５は、操作パネル２、原稿搬送部３ａ、画像読取部３ｂ、印刷部４、通信部５１のような各部とバスや信号線で接続される。制御部５は、各部、各装置の存在を認識する。そして、制御部５は、各部を制御することにより、スキャン動作や印刷動作のような複合機１００の動作を制御する。
【００２１】
制御部５は、ＣＰＵ５ａ、画像処理部５ｂのような回路を含む。尚、全体制御や画像処理を行うメイン制御部や画像形成や各種回転体を回転させるモータのＯＮ／ＯＦＦを制御し印刷部４を実際に制御するエンジン制御部のように制御を行う部分を分割してもよい。
【００２２】
ＣＰＵ５ａは、記憶部６に記憶されるプログラム、データに基づき複合機１００の各部の制御や、各種の演算処理を行う。画像処理部５ｂは、濃度変換、拡大、縮小、回転、データ形式変換のような印刷や送信に用いる画像データへの画像処理を施す。処理後の画像データは、画像形成部４ｃでのトナー像形成や、送信に用いられる。
【００２３】
記憶部６は、ＲＯＭ、ＨＤＤのような不揮発性とＲＡＭのような揮発性の記憶装置を組み合わせである。記憶部６は、複合機１００の制御用の各種のプログラムやデータ、設定データ、画像データのような各種データを記憶する。
【００２４】
更に、制御部５は、各種コネクタ、ソケット、通信制御用のチップを備えた通信部５１と接続される。通信部５１は、ネットワークや公衆回線やケーブルを介し、コンピューター２００やファクシミリ装置３００と通信可能に接続される。通信部５１は、コンピューター２００やファクシミリ装置３００と画像データのやり取りを行える。
【００２５】
（操作パネル２での設定）
次に、図３、図４を用いて、実施形態に係る複合機１００での設定の一例を説明する。図３は、実施形態に係るメインメニュー画面Ｓ１の一例を示す図である。図４は、実施形態に係るシステムメニュー画面Ｓ２の一例を示す図である。
【００２６】
操作パネル２の表示パネル２１は、各種設定画面を表示する。制御部５は、設定画面内のキー、ボタン、タブのような操作画像や操作パネル２に配されたハードキー２３に対する操作に応じ、画面を表示パネル２１に切り替えさせる。
【００２７】
図３に示すメインメニュー画面Ｓ１は、階層上、最上位の画面である。メインメニュー画面Ｓ１は、実行しようとするジョブの種類や設定のカテゴリーを選択するための画面である。メインメニュー画面Ｓ１の上方に、選択可能なジョブの種類を示すアイコン（画像）が付されたジョブ選択キーＫ０が８つ配される。所望のジョブに対応するジョブ選択キーＫ０の表示位置をタッチすることで、コピー、スキャン送信のようなジョブの種類を選択することができる。そして、制御部５は、選択されたジョブの設定画面を表示パネル２１に表示させる。また、メインメニュー画面Ｓ１の下方には、システム設定（複合機１００の動作全般に係わる設定、ジョブの実行を伴わない設定）に関するシステム関連キー群が配される。
【００２８】
システム関連キー群のうち、機器情報アイコンキーＫ１を操作することで、トナーの残量や用紙残量を確認することができる。ヘルプアイコンキーＫ２を操作することで、操作方法を解説するヘルプ画面を表示させることができる。
【００２９】
そして、システム関連キー群のうち、システムメニューキーＫ３が操作されると、制御部５４は、システムメニュー画面Ｓ２を表示部１１に表示させる（図７参照）。システムメニュー画面Ｓ２は複合機１００の基本的な動作（振る舞い、初期設定値）を設定するための画面である。
【００３０】
システムメニュー画面Ｓ２には、複数のシステム項目キーＫ４〜Ｋ１３が配される。各システム項目キーＫ４〜Ｋ１３は、システム設定のカテゴリーを示す語を含む。「Ｃｏｍｍｏｎ  Ｓｅｔｔｉｎｇ（共通設定）」のシステム項目キーＫ４を操作することにより、電源を入れて最初に表示される画面の設定や、操作パネル２を操作したときの報知音（操作パネル２には不図示のスピーカーがある）の設定や、１回で印刷できる部数の制限のような各機能で共通して適用される設定を行うことができる。また、「Ｃｏｐｙ」のシステム項目キーＫ５を操作することにより、収容される用紙とサイズが異なる原稿を読み取ったとき自動的に倍率を変更するか否かのような、コピー機能に関する基本的な（デフォルトの）振る舞いを定めることができる。また、「Ｎｅｔｗｏｒｋ」のシステム項目キーＫ１１を操作することにより、複合機１００のＩＰアドレスやサブネットマスクのようなネットワークに関する設定を行うことができる。尚、上記以外のシステム項目キーで設定できる内容の詳細の説明は省略する。
【００３１】
（表示入力装置１）
次に、図５を用いて、実施形態に係る表示入力装置１を説明する。図５は、実施形態の表示入力装置１の一例を示す図である。
【００３２】
本実施形態の複合機１００には、表示入力装置１が搭載される。表示入力装置１は、操作パネル２を（表示パネル２１、タッチパネル部２２）、制御部５、記憶部６を含む。このように、本実施形態の表示入力装置１、複合機１００では、画面を見ながら各種設定を行うことができる。なお、操作パネル２内に、使用者の設定操作を認識し、設定操作に応じて画面を表示パネル２１に切り替えさせる機能を有し、制御部５の機能を分割した基板であるパネル制御部５を設けるようにしてもよい。
【００３３】
上述のように、表示パネル２１は、設定用の画面、操作画像を表示する。制御部５は、表示パネル２１の表示を制御する。タッチパネル部２２は、表示パネル２１の上方に設けられる。制御部５は、タッチパネル部２２の出力に基づき、タッチ位置（座標）を検知する。図５に示すように、タッチパネル部２２は、センサーパネル２２ａを含む。センサーパネル２２ａは、パターニングされた透明電極を含む。センサーパネル２２ａに保護フィルムやカバーを取り付けてもよい。また、センサーパネル２２ａは、静電容量方式のものである。また、タッチパネル部２２は、表面での静電容量の変化を検知し、静電容量の変化のあった電極の位置に基づき、タッチ位置を検知する検知用ＩＣ２２ｂを含む。検知用ＩＣ２２ｂは所定のサンプリングレートで各電極での静電容量の変化を検知する。検知用ＩＣ２２ｂは、センサーパネル２２ａの何れかの電極の静電容量の変化量がタッチ状態と判断するとして予め定められた値の範囲であると、変化のあった電極の位置に基づき、タッチ位置の座標（位置）を検知する。なお、検知用ＩＣ２２ｂは制御部５側に設けてもよい。
【００３４】
検知用ＩＣ２２ｂの出力（検知結果）は、制御部５に入力される。制御部５は、タッチパネル部２２の検知用ＩＣ２２ｂの出力に基づき、タッチ位置（座標）を認識する。そして、制御部５は、タッチ位置（座標）に重なる（表示されている）操作画像が操作されたと認識する。そして、制御部５は、操作された操作画像に対応する画面を表示パネル２１に表示させる。
【００３５】
検知用ＩＣ２２ｂは、タッチ時よりも小さい静電容量の変化を検知できる（検知感度が高い）。そのため、検知用ＩＣ２２ｂは、タッチ時よりも小さい静電容量の変化があった電極の位置に基づき、タッチされてはいないがセンサーパネル２２ａの表面に近づいた状態であり、検知可能距離よりも指先がセンサーパネル２２ａに近い近接状態での指先の位置（座標）を検知する。言い換えると、検知用ＩＣ２２ｂは、センサーパネル２２ａの何れかの電極の静電容量の変化量が近接状態と判断するとして予め定められた値の範囲になったとき、近接状態での指先の座標を検知する。
【００３６】
制御部５は、検知用ＩＣ２２ｂから通知を受ける。そのため、制御部５は、タッチパネル部２２の出力に基づき、タッチされてはいないが指先が表面に近づいた状態である近接状態であること及び近接状態での指先の座標（位置）を認識できる。指の大きさ、太さに応じた個人差はあるが、１〜数センチ程度、指がタッチパネル部２２から離れた状態でも、指先の座標を検知、認識することができる。検知用ＩＣ２２ｂは、近接状態の間、指先の位置（座標）を制御部５に通知し続ける。これにより、制御部５は、近接状態の指先の軌跡（座標、位置の移動経路）を認識する。記憶部６は、軌跡データＤ１（表示中の画面での各時点の指先の座標を示すデータ、図２参照）を記憶する。
【００３７】
（揺れ状態の判定）
次に、実施形態に係る表示入力装置１での揺れ状態の判定手法の一例を説明する。
【００３８】
制御部５は、近接状態で指先が揺れている揺れ状態であるか否かを判断する。本実施形態の制御部５は、認識した近接状態での指先の軌跡に基づき、揺れ状態であるか否かを判断する。
【００３９】
使用者の指先が震えているとき、指先は往復するように移動している場合がある。このような震えによる指先の移動では、頻繁に指先の移動方向が変わるという特徴がある。また、１８０度に近いような角度で指先の移動方向が変化する場合もある。
【００４０】
そこで、制御部５は、現在の表示画面での軌跡データＤ１を参照し、予め定められた判断期間内での指先の移動方向の切り替えが予め定められた基準回数よりも多いとき、揺れ状態と判断する。なお、往復移動を考慮し、制御部５は、近接状態での指先の移動方向の切り替えのうち、移動方向の変化角度が、予め定められた角度範囲（例えば、９０度を超え２７０度未満）内となるような移動方向の切り替えのみをカウントし、カウント値と基準回数を比較するようにしてもよい。
【００４１】
判断期間は適宜定めることができる。例えば、現時点（揺れ状態か否か判断する時点）から、予め定められた時間だけ遡った期間とすることができる。予め定められた時間は、１〜５秒、より好ましくは３秒程度とすることができる。また、基準回数も適宜定めることができる。例えば、基準回数は、３〜１５回、より好ましくは、１０回程度と定めることができる。例えば、制御部５は３秒間に１０回程度、指先がいったりきたりしたとき、揺れ状態と判断する。言い換えると、制御部５は、操作している使用者の指先は震えていると自動認識する。
【００４２】
なお、指先が震えているとき、移動方向の変化点から変化点までの間での指先の移動距離は、フリック操作などに比べ、短く、振り幅がほぼ一定で指先が移動する場合がある。そこで、制御部５は、軌跡データＤ１を参照し、判断期間内での指先の移動方向の切り替え間（それぞれの移動方向の変化点から変化点までの間）での指先のそれぞれの移動距離の差がいずれも予め定められた許容範囲内であることを揺れ状態と判断する条件の一つとしてもよい。
【００４３】
また、指先が震えているとき、軌跡の領域（判断期間内の移動方向の変化点の外周を結んだ領域）は細長く、面積としてはそれほど大きくならない場合もある。そこで、判断期間内での移動方向の切り替え点の座標の外周を結んだ図形の面積（図形内のドット数）を求め、求めた面積が予め定められた基準面積内であることを揺れ状態と判断する条件の一つとしてもよい。
【００４４】
そして、制御部５は、上記の条件の１つ、又は、何れか複数が成立したとき、揺れ状態と判断する。なお、制御部５は、周期的に軌跡データＤ１を確認し、判断期間（現時点から予め定められた時間だけ遡った間）での指先の移動が揺れ状態と判断する条件を満たしているか否かを確認する。そして、制御部５は、判定条件が満たされていると判断したとき、揺れ状態と判断する。
【００４５】
そして、制御部５は、揺れ状態と判断したとき、指先が震える使用者のため、操作画像の拡大表示を行う。具体的に、制御部５は、所定期間内での近接状態で指先の軌跡に重なる（下方に位置する）操作画像の一部又は全てを拡大表示する。これにより、使用者が操作したいと考えている可能性が高い操作画像が拡大表示される。
【００４６】
（拡大表示の態様）
次に、図６〜図１０を用いて、実施形態に係る表示入力装置１での揺れ状態での操作画像の拡大表示の一例を説明する。図６は、実施形態に係る拡大表示設定画面Ｓ３の一例を示す図である。図７は、操作画像のうち１つを拡大表示する場合の一例を示す図である。図８は、複数の操作画像を拡大表示する場合の一例を示す図である。図９は、第１モードで指先の軌跡の直下に位置する操作画像に隣接する操作画像も含めて拡大表示する場合の一例を示す図である。図１０は、第２モードで指先の軌跡の直下に位置する操作画像に隣接する操作画像も含めて拡大表示する場合の一例を示す図である。
【００４７】
本実施形態の表示入力装置１では、揺れ状態を検知したとき、画面内の操作画像のうち、いずれの操作画像を拡大表示するかを図６の拡大表示設定画面Ｓ３で予め定めておくことができる。拡大表示設定画面Ｓ３は、操作パネル２に所定の操作を行うことにより表示させることができる。
【００４８】
拡大表示設定画面Ｓ３には、第１モードキーＫ１４と第２モードキーＫ１５が表示される。第１モードキーＫ１４と第２モードキーＫ１５は２者択一となっている。
【００４９】
第１モードキーＫ１４は、所定期間内で指先が上方にあった時間が最も長い操作画像（第１モード拡大対象画像）を表示パネル２１に拡大表示させる第１モードに対応している。第１モードで操作画像の拡大表示を行いたいとき、第１モードキーＫ１４が操作される（図６参照）。
【００５０】
なお、「所定期間」は適宜定めることができる。「所定期間」は、現在の表示画面が表示されてから揺れ状態と判断された時点までの期間、あるいは、上述の判断期間とすることができる（以下、同様）。
【００５１】
また、第２モードキーＫ１５は、所定期間内での軌跡の下方に表示される複数の操作画像（第２モード拡大対象画像）を表示パネル２１に拡大表示させる第２モードに対応している。第２モードで操作画像の拡大表示を行いたいとき、第２モードキーＫ１５が操作される（図６参照）。
【００５２】
指先が複数のキーの上方を移動する場合があり、そのような場合、第２モードでは、複数の操作画像が拡大される。そのため、第１モードを選んだとき、第２モードを選んだときよりも拡大される操作画像の数は基本的に少なくなる。反対に、第２モードを選んだとき、第１モードを選んだときよりも拡大される操作画像の数は基本的に多くなる。
【００５３】
また、第１モードキーＫ１４の下方に、第１チェックボックスＣ１が設けられる。第１チェックボックスＣ１にチェックが入れられると、制御部５は、第１モード拡大対象画像に隣接する操作画像もあわせて表示パネル２１に拡大表示させる。第１チェックボックスＣ１にチェックが入れられていない状態では、１つの操作画像（第１モード拡大対象画像）だけが表示パネル２１で拡大表示され、第１モード拡大対象画像に隣接する操作画像の表示サイズは変わらない。
【００５４】
また、第２モードキーＫ１５の下方に、第２チェックボックスＣ２が設けられる。第２チェックボックスＣ２にチェックが入れられると、制御部５は、第２モード拡大対象画像に隣接する操作画像もあわせて表示パネル２１に拡大表示させる。第２チェックボックスＣ２にチェックが入れられていない状態では、第２モード拡大対象画像だけが拡大表示され、第２モード拡大対象画像に隣接する操作画像の表示サイズは変わらない。
【００５５】
このように、実施形態に係る表示入力装置１では、表示画面内の操作画像のうち、どの操作画像を拡大表示するか、使用者が定めることができる。以下、実際の操作画像の拡大表示の態様を説明する。なお、システムメニュー画面Ｓ２（図４参照）で拡大表示する例を以下説明する（メインメニュー画面Ｓ１でも同様に拡大表示される）。
【００５６】
〈第１モード〉
図７を用いて、まず、第１モードであって、隣接する操作画像の拡大しないとき（第１チェックボックスＣ１にチェックが入れられないとき）の拡大表示例を説明する。
【００５７】
図７のうち、上方の図は、制御部５が揺れ状態と判断する前に表示されるシステムメニュー画面Ｓ２である。言い換えると、拡大表示しておらず、システムメニュー画面Ｓ２の通常の表示状態を示している。
【００５８】
また、図７の上方の図では、使用者の指先は、「Ｃｏｐｙ」のシステム項目キーＫ５、又は、「Ｄｏｃｕｍｅｎｔ  Ｂｏｘ」のシステム項目キーＫ７の上方で揺れていることを示している。また、図７の上方の図では、近接状態の指先（手）の位置の一例を手形の破線図形で示している。また、指先の揺れ方向の一例を白抜矢印で示している。
【００５９】
そして、制御部５は、揺れ状態と判断したとき、所定期間内で指先が上方にあった時間が最も長い操作画像（第１モード拡大対象画像）を表示パネル２１に拡大表示させる。図７の下方の図では、「Ｄｏｃｕｍｅｎｔ  Ｂｏｘ」のシステム項目キーＫ７を第１モード拡大対象画像として拡大表示する例を示す。
【００６０】
操作画像は拡大されているので、指先が震えていても操作画像の領域内を容易にタッチすることができる。制御部５は、拡大された操作画像内の領域がタッチされたとき、拡大された操作画像が操作されたと認識し、拡大された操作画像に対応する画面を表示パネル２１に表示させる。
【００６１】
〈第２モード〉
次に、図８を用いて、まず、第２モードであって、隣接する操作画像の拡大しないとき（第２チェックボックスＣ２にチェックが入れられないとき）の拡大表示例を説明する。
【００６２】
図８のうち、上方の図は、制御部５が揺れ状態と判断する前に表示されるシステムメニュー画面Ｓ２である。言い換えると、拡大表示しておらず、システムメニュー画面Ｓ２の通常の表示状態を示している。
【００６３】
また、図８の上方の図では、使用者の指先は、「Ｃｏｐｙ」のシステム項目キーＫ５と「Ｄｏｃｕｍｅｎｔ  Ｂｏｘ」のシステム項目キーＫ７の上方で揺れていることを示している。また、図８の上方の図では、近接状態の指先（手）の位置の一例を手形の破線図形で示している。また、指先の揺れ方向の一例を白抜矢印で示している。
【００６４】
そして、制御部５は、揺れ状態と判断したとき、表示画面（図８の例ではシステムメニュー画面Ｓ２）の表示中、所定期間内での指先の軌跡の直下に表示される操作画像（第２モード拡大対象画像）の拡大表示を表示パネル２１に行わせる。
【００６５】
所定期間内での近接状態の指先の軌跡の直下に位置する操作画像が複数であるとき、その全てを拡大表示してもよいし、一部のみを拡大表示してもよい。また、拡大表示する操作画像の最大数を予め定めておき、軌跡の直下に位置する操作画像が最大数以下のとき、制御部５は、複数の操作画像の全てを表示パネル２１に拡大表示させ、軌跡の直下に位置する操作画像が最大数をこえるとき、拡大表示する操作画像の個数を最大値までとしてもよい。この場合、何れの操作画像を拡大するかは適宜定めることができる。例えば、制御部５は、軌跡の直下に位置する操作画像のうち、指先が上方に存在していた時間が長いもの順に最大値の個数の操作画像を第２モード拡大対象画像として選択する。
【００６６】
図８の下方の図は、軌跡の直下に位置する操作画像を全て拡大表示した状態の一例を示している。図８の下方の図では、「Ｃｏｐｙ」のシステム項目キーＫ５と「Ｄｏｃｕｍｅｎｔ  Ｂｏｘ」のシステム項目キーＫ７を拡大表示している例を示す。
【００６７】
軌跡に重なった複数の操作画像のなかに、使用者が操作したい操作画像が含まれている可能性は高い。これにより、使用者が操作したい可能性が高い操作画像だけを拡大表示することができる。
【００６８】
〈隣接する操作画像の拡大〉
次に、図９、図１０を用いて、第１モード拡大対象画像又は画像第２モード拡大対象画像に隣接する操作画像（以下、「隣接操作画像」と称する）の拡大を説明する。
【００６９】
図９、図１０での上方の図は、制御部５が揺れ状態と判断する前に表示されるシステムメニュー画面Ｓ２である。言い換えると、拡大表示しておらず、システムメニュー画面Ｓ２の通常の表示状態を示している。
【００７０】
また、図９の上方の図では、使用者の指先は、「Ｃｏｐｙ」のシステム項目キーＫ５と「Ｄｏｃｕｍｅｎｔ  Ｂｏｘ」のシステム項目キーＫ７の上方で揺れていることを示している。また、図９の上方の図では、近接状態の指先（手）の位置の一例を手形の破線図形で示している。また、指先の揺れ方向の一例を白抜矢印で示している。
【００７１】
そして、図９の下方の図に示すように、第１チェックボックスＣ１にチェックが入れられた場合、制御部５は、第１モード拡大対象画像（所定期間内で上方に指先が滞在していた時間が最も長い操作画像）と、第１モード拡大対象画像に隣接する操作画像も表示パネル２１に拡大表示させる。
【００７２】
図９の例では、上方に指先が滞在していた時間が最も長い操作画像が「Ｄｏｃｕｍｅｎｔ  Ｂｏｘ」のシステム項目キーＫ７である。そして、図９では、「Ｄｏｃｕｍｅｎｔ  Ｂｏｘ」の上下左右の方向において隣接する「Ｃｏｐｙ」のシステム項目キーＫ５と、「Ｓｅｎｄ」のシステム項目キーＫ６と、「Ｐｒｉｎｔｅｒ」のシステム項目キーＫ９を拡大した状態を示している。なお、斜め方向で一つ隣に位置する「Ｃｏｍｍｏｎ  Ｓｅｔｔｉｎｇ」のシステム項目キーＫ４と「Ｒｅｐｏｒｔ」のシステム項目キーＫ８を拡大表示してもよい。
【００７３】
そして、図１０の下方の図は、第２モード拡大対象画像に隣接する操作画像も拡大表示する場合の一例（第２チェックボックスＣ２にチェックが入れられた場合の一例）を示す。制御部５は、上方からみて軌跡と重なる操作画像（第２モード拡大対象画像）と、これに隣接する操作画像も表示パネル２１に拡大表示させる例を示している。
【００７４】
図１０の上方の図では、使用者の指先は、「Ｃｏｍｍｏｎ  Ｓｅｔｔｉｎｇ」のシステム項目キーＫ４と、「Ｃｏｐｙ」のシステム項目キーＫ５の上方で揺れていることを示している。また、図１０の上方の図では、近接状態の指先（手）の位置の一例を手形の破線図形で示している。また、指先の揺れ方向の一例を白抜矢印で示している。
【００７５】
図１０の例では、軌跡が重複する操作画像が「Ｃｏｍｍｏｎ  Ｓｅｔｔｉｎｇ」のシステム項目キーＫ４と、「Ｃｏｐｙ」のシステム項目キーＫ５である。そして、図１０の下方の図では、「Ｃｏｍｍｏｎ  Ｓｅｔｔｉｎｇ」のシステム項目キーＫ４と、「Ｃｏｐｙ」のシステム項目キーＫ５の上下方向又は左右方向において隣接する「Ｓｅｎｄ」のシステム項目キーＫ６と、「Ｄｏｃｕｍｅｎｔ  Ｂｏｘ」のシステム項目キーＫ７を拡大した状態を示している。
【００７６】
このように、近接状態の指先の軌跡の下方に位置する操作画像に隣接する操作画像も拡大すれば、拡大表示された操作画像の中に、ほぼ間違い無く使用者が操作したいキーが含まれる。従って、指先が震えても、使用者が所望する操作画像へのタッチを誤ること無く行うことができる。
【００７７】
（操作画像の拡大率）
次に、図７、図８、図１１を用いて、実施形態に係る操作画像の拡大における拡大率を説明する。図１１は、指先の移動方向の切り替え回数に応じて拡大率を変更する場合の一例を示す図である。
【００７８】
操作画像をどの程度拡大するかは適宜定めることができる。制御部５は、予め定められた固定の拡大率（例えば、１２０〜３００％の間の何れかの値）を適用し、操作画像が上下方向と左右方向で固定の拡大率だけ拡大させることにより、操作画像を拡大表示してもよい。
【００７９】
また、制御部５は、所定期間中の近接状態の指先の移動方向の切り替え回数が多いほど拡大表示での拡大率を大きくするようにしてもよい。指先の震えが激しいと、切り替え回数が多くなる。指先の震えが激しいとタッチしづらい場合が多い。そこで、制御部５は、指先の震えが激しいと認められるとき、複数種の固定の拡大率のうち、大きな拡大率を適用し、操作画像の上下方向の幅と左右方向の幅を、適用した拡大率で拡大させてもよい。
【００８０】
この場合、指先の移動方向の切り替え回数に対応する拡大率をデータ（切り替え回数データＤ２）として記憶部６に記憶させておく（図２参照）。切り替え回数データＤ２では、切り替え回数が多いほど、大きな拡大率が定義される。この場合、制御部５は、実際にカウントされた切り替え回数と、切り替え回数データＤ２に基づき拡大率を定める。
【００８１】
本実施形態の表示入力装置１では、指先の震えが激しいほど拡大率を大きくするか否かを拡大表示設定画面Ｓ３に設けられた第３チェックボックスＣ３で設定することができる。第３チェックボックスＣ３にチェックが入れられていないとき、制御部は、予め定められた固定の拡大率を適用して操作画像を拡大表示させる。一方、第３チェックボックスＣ３にチェックが入れられているとき、制御部５は、カウントした切り替え回数と、切り替え回数データＤ２に基づき拡大率を定める。
【００８２】
また、本実施形態の表示入力装置１では、近接状態の指先の軌跡の範囲の広さに応じて拡大率を定めてもよい。この場合、制御部５は、軌跡に基づき指先の揺れ範囲Ｂを定める。そして、制御部５は定めた揺れ範囲Ｂの上下方向の幅よりも拡大表示後の操作画像の上下方向の幅が広くなり、かつ、揺れ範囲Ｂの左右方向の幅よりも拡大表示後の操作画像の左右方向の幅が広くなるように表示パネル２１に拡大表示させる。
【００８３】
まず、制御部５は、拡大表示しようとする操作画像のオリジナルのサイズ（上下方向と左右方向のそれぞれのドット数）を確認する。また、制御部５は、揺れ範囲Ｂを定め、揺れ範囲の上下方向の幅（ドット数）と左右方向の幅を確認する。ここで、揺れ範囲Ｂは適宜定めることができる。
【００８４】
例えば、制御部５は、判断期間の始点、又は、判断期間の始点以降の何れかの特定時点から揺れ状態と判断した時点までの近接状態の指先の軌跡の範囲（軌跡の外周縁を結んだ範囲）を揺れ範囲Ｂと定める。特定時点は適宜定めることができる。例えば、揺れ状態と判断した時点から判断期間の１／２程度遡った時点を特定時点としてもよい。なお、図７、図８、図９、図１０では、制御部５が定めた揺れ範囲Ｂの一例を網掛け楕円で示している。
【００８５】
そして、制御部５は、拡大表示しようとする操作画像の上下方向の幅が揺れ範囲Ｂの上下方向の幅よりも狭いか否かを確認する。また、制御部５は、拡大表示しようとする操作画像の左右方向の幅が揺れ範囲Ｂの左右方向の幅よりも狭いか否かを確認する。左右方向は狭くないが上下方向の幅が狭いとき、制御部５は、揺れ範囲Ｂの上下方向の幅と同じにするのに必要な倍率を求める。上下方向は狭くないが左右方向の幅が狭いとき、制御部５は、揺れ範囲Ｂの左右方向の幅と同じにするのに必要な倍率を求める。上下方向も左右方向もいずれも幅が狭いとき、制御部５は、幅の差がより大きい方向において、幅を揺れ範囲Ｂの幅と同じにするのに必要な倍率を求める。
【００８６】
そして、制御部５は、求めた倍率に調整値を加えた倍率を適用する最終的な拡大率として求める。調整値は、拡大後の操作画像の面積を揺れ範囲Ｂよりも確実に広くするための値である。そして、制御部５は、最終的な拡大率だけ、上下方向と左右方向の幅を広げた操作画像を表示パネル２１に表示させる。
【００８７】
図７に示す例では、拡大されたシステム項目キーＫ７の上下方向の幅Ｗ１は、揺れ範囲Ｂ（近接状態の指先の軌跡の範囲）の上下幅Ｗ２よりも広い。また、拡大されたシステム項目キーＫ４〜Ｋ１３の左右方向の幅Ｗ３も、揺れ範囲Ｂの左右幅Ｗ４よりも広い。また、図８に示す例では、拡大されたシステム項目キーＫ５、Ｋ７の上下方向の幅Ｗ５は、揺れ範囲Ｂの上下幅Ｗ６よりも広い。また、拡大されたシステム項目キーＫ５、Ｋ７の左右方向の幅Ｗ７も、揺れ範囲Ｂの左右幅Ｗ８よりも広い。このように、拡大表示後の操作画像の上下方向の幅は、揺れ範囲Ｂの上下方向の幅よりも広くされ、左右方向の幅も、揺れ範囲Ｂの左右方向の幅よりも広くされる。
【００８８】
また、調整値を変えることにより、指先の移動方向の切り替え回数が多いほど拡大率を大きくするようにしてもよい。記憶部６は、所定期間内での近接状態の指先の移動方向の切り替え回数に対する調整値を定めた拡大率調整データＤ３を記憶してもよい（図２参照）。拡大率調整データＤ３では、切り替え回数が多いほど大きな調整値が定義され、切り替え回数が少ないほど小さい調整値が定義される。そして、制御部５は、求めた倍率のうち大きい方の倍率に、拡大率調整データＤ３に基づき得られた調整値を加算して適用する拡大率を求める。これにより、切り替え回数が多いほど、操作画像の拡大率を大きくすることができる。
【００８９】
この場合、第３チェックボックスＣ３にチェックが入れられていないとき、制御部は、求めた倍率に予め定められた固定の調整値を加算して適用する拡大率を求める。一方、第３チェックボックスＣ３にチェックが入れられているとき、制御部５は、切り替え回数と拡大率調整データＤ３に基づき、切り替え回数に応じた調整値を求め、求めた倍率に求めた調整値を加算して適用する拡大率を求める。
【００９０】
（操作画像の拡大表示の終了）
次に、操作画像の拡大表示の終了について説明する。
【００９１】
本実施形態の表示入力装置１では、指先が震える使用者を考慮し、操作したいと推定できる操作画像を拡大表示する。
【００９２】
しかし、使用者が所望しない操作画像が拡大表示される場合がある。また、操作したい操作画像の一部、又は、全てが拡大された操作画像に覆われ、かえって操作しづらくなる場合がある。そこで、本実施形態の表示入力装置１では、操作画像の拡大表示を容易に解除できるようにする。
【００９３】
具体的に、使用者は、近接状態と検知されなくなるまで、タッチパネル部２２から指を離せばよい。言い換えると、制御部５が指先の位置を検知できなくなるまで、指を離せばよい。そして、制御部５が指先の位置を検知できなくなってから予め定められた解除時間が経過したとき、制御部５は、操作画像の拡大表示を解除して、操作画像を拡大表示しない通常の画面を表示パネル２１に表示させる（図７〜図１０の上方の状態に戻す）。
【００９４】
指先が震える使用者は、キー、タブ、ボタン、メニューのような所望の（狙いの）操作画像をタッチするため、タッチパネル部２２にいったん指を近づける場合が多い。そして、揺れる指先が所望の操作画像と重なるようなタイミングで指先をタッチパネル部２２につける。しかし、うまくいかず、所望しない操作画像をタッチしてしまう場合がある。
【００９５】
そこで、実施形態に係る表示入力装置１は、表示パネル２１、タッチパネル部２２、制御部５を少なくとも含む。表示パネル２１は、設定用の操作画像（キー、ボタン、タブ、メニュー、チェックボックスのような設定のために表示される画像）を表示する。タッチパネル部２２は、表示パネル２１の上方に設けられ、タッチされてはいないが指先が表面に近づいている近接状態での指先の座標及びタッチ位置の座標の検知に用いられる。制御部５は、タッチパネル部２２の出力に基づきタッチ位置を認識することにより操作された操作画像を認識するとともに、近接状態での指先の位置と近接状態での指先の軌跡を認識し、認識した軌跡に基づき、近接状態で指先が揺れている揺れ状態であるか否かを判断し、揺れ状態と判断したとき軌跡の下方に表示されている操作画像のうち１つ又は複数を表示パネル２１に拡大表示させる。
【００９６】
これにより、制御部５は、指先が震える使用者が操作画像をタッチするためにいったんタッチパネル部２２に指を近づけている状態を揺れ状態と認識する。言い換えると、指先が震える使用者が操作していることを自動認識する。そして、指先が震える使用者が操作しようとしている状態（揺れ状態）のとき、使用者がタッチしようと推定される操作画像を拡大表示する。これにより、指先が震える使用者の所望の操作画像への操作を容易なものとすることができる。従って、指先が震える使用者は誤りなく所望の操作画像を操作できる。また、いままでよりも、指先が震える使用者が設定に要していた時間を短くすることができ、設定での煩わしさを大きく減らすことができる。
【００９７】
指先が震えない使用者は、通常、目標の操作画像に向けて一直線に指先を移動させることが通常である。一方、指先が震える使用者の場合、近接状態の指先の移動方向が周期的に切り替わり、また、指先は同様の範囲（区間）を行ったり来たりする場合が多い。そこで、制御部５は、予め定められた判断期間内での近接状態の指先の移動方向の切り替えが予め定められた基準回数よりも多いとき、揺れ状態になっていると判断する。
【００９８】
これにより、近接状態の指先の移動の傾向に基づき、揺れ状態であるか否かを正確に判断することができる。言い換えると、指先が震える使用者が操作しているか否かを正確に判断することができる。
【００９９】
また、制御部５は、所定期間内で指先が上方にあった時間が最も長い操作画像を表示パネル２１に拡大表示させる。これにより、拡大する操作画像の数を抑えつつ、使用者が最も操作したいと推定される操作画像を自動的に拡大表示することができる。
【０１００】
また、制御部５は、所定期間内での軌跡の下方に表示される複数の操作画像を表示パネル２１に拡大表示させる。これにより、表示画面内の操作画像のうち、指先が上方を通過した操作画像であって、使用者がタッチしようとしている可能性が高い操作画像のみを拡大表示させることができる。
【０１０１】
また、制御部５は、所定期間内で指先が上方にあった時間が最も長い操作画像に隣接する操作画像、又は、所定期間内での軌跡の下方に表示される操作画像に隣接する操作画像も表示パネル２１に拡大表示させる。これにより、拡大表示された操作画像内に、ほぼ確実に使用者が操作しようとしている操作画像を含めることができる。従って、使用者は、所望の操作画像を正確にタッチできる。
【０１０２】
指先の震えが速いほど、正確に所望の操作画像をタッチすることが難しい。そこで、制御部５は移動方向の切り替え回数が多いほど拡大表示での拡大率を大きくさせてもよい。これにより、指先の震えの程度を考慮した操作画像の拡大を行うことができる。従って、どのような使用者でも正確に所望する操作画像をタッチすることができる。
【０１０３】
また、制御部５は、軌跡に基づき指先の揺れ範囲Ｂを定め、揺れ範囲Ｂの上下方向の幅よりも拡大表示後の操作画像の上下方向の幅が広くなり、かつ、揺れ範囲Ｂの左右方向の幅よりも拡大表示後の操作画像の左右方向の幅が広くなるように表示パネル２１に拡大表示させる。これにより、指先の震えの範囲よりも大きくなるように操作画像を拡大し、使用者がタッチしたいと考えている可能性が高い操作画像を拡大することができる。従って、指先が震えていても、指を降ろすだけで所望の操作画像をタッチすることができる。
【０１０４】
制御部５は、指先がタッチパネル部２２の表面から近接状態と判断する距離よりも離れた離間状態となったことを検知し、離間状態となってから予め定められた解除時間が経過したとき、拡大表示していた操作画像の表示サイズを通常に戻させる。これにより、意図せず操作画像が拡大表示されても、指先をタッチパネル部２２から離すだけで拡大表示を自動的に解除することができる。
【０１０５】
また、タッチパネル部２２は、静電容量式のセンサーパネル２２ａを含む。特別な回路やセンサーを追加することなく、指先のタッチパネル表面への接近を検知でき、製造コストを抑えることができる。
【０１０６】
また、画像形成装置（複合機１００）は、上述の表示入力装置１を含む。指先が震える使用者でも、容易に画像形成装置に関する設定を行うことができる。従って、指先が震える使用者にとって使いやすい画像形成装置を提供することができる。
【０１０７】
本発明の実施形態を説明したが、本発明の範囲はこれに限定されるものではなく、発明の主旨を逸脱しない範囲で種々の変更を加えて実施することができる。
【０１０８】
上記の説明では、画像形成装置に含まれる表示入力装置について説明したが、本願の表示入力装置は、画像形成装置用に限られない。スマートフォンやタブレット型コンピューターのようなタッチパネルと表示パネルを含む携帯可能な装置（端末）も本願の表示入力装置の一種である。
【産業上の利用可能性】
【０１０９】
本発明は、表示パネルやタッチパネル部を含む表示入力装置、画像形成装置に利用可能である。
【符号の説明】
【０１１０】
１００  複合機（画像形成装置）            １      表示入力装置
２１    表示パネル                        ２２    タッチパネル部
２２ａ  センサーパネル                    ５      制御部
Ｂ      揺れ範囲                          Ｋ０    ジョブ選択キー（操作画像）
Ｋ１    機器情報アイコンキー（操作画像）  Ｋ２    ヘルプアイコンキー（操作画像）
Ｋ３    システムメニューキー（操作画像）
Ｋ４、Ｋ５、Ｋ６、Ｋ７、Ｋ８、Ｋ９    システム項目キー（操作画像）
Ｋ１０、Ｋ１１、Ｋ１２、Ｋ１３        システム項目キー（操作画像）
Ｋ１４  第１モードキー（操作画像）        Ｋ１５  第２モードキー（操作画像）
Ｃ１    第１チェックボックス（操作画像）
Ｃ２    第２チェックボックス（操作画像）
Ｃ３    第３チェックボックス（操作画像）
【図１】
0006274134.tif 000002
【図２】
0006274134.tif 000003
【図３】
0006274134.tif 000004
【図４】
0006274134.tif 000005
【図５】
0006274134.tif 000006
【図６】
0006274134.tif 000007
【図７】
0006274134.tif 000008
【図８】
0006274134.tif 000009
【図９】
0006274134.tif 000010
【図１０】
0006274134.tif 000011
【図１１】
0006274134.tif 000012